(57)【要約】【課題】好適な構図で撮影することができる撮影装置を提供すること。【解決手段】第１撮影範囲４５の画像を取得可能な第１画像取得部１５と、前記第１撮影範囲４５には含まれない被写体Ｄ，Ｅを含む第２撮影範囲４７の画像を取得可能な第２画像取得部１７と、前記第２撮影範囲４７に含まれ前記第１撮影範囲４５に含まれない前記被写体Ｄ，Ｅが、前記第１撮影範囲４５に入るか否かを判断する判断部３５と、前記判断部３５の判断に応じて撮影に関する制御を行う制御部３７とを有することを特徴とする撮影装置。【選択図】図２
2009282143.tif 000002
【特許請求の範囲】
【請求項１】
第１撮影範囲の画像を取得可能な第１画像取得部と、
前記第１撮影範囲には含まれない被写体を含む第２撮影範囲の画像を取得可能な第２画像取得部と、
前記第２撮影範囲に含まれ前記第１撮影範囲に含まれない前記被写体が、前記第１撮影範囲に入るか否かを判断する判断部と、
前記判断部の判断に応じて撮影に関する制御を行う制御部とを有することを特徴とする撮影装置。
【請求項２】
請求項１に記載された撮影装置であって、
前記第１撮影範囲の画像を形成する第１光学系と、
前記第１光学系とは独立して備えられ、前記第２撮影範囲の画像を形成する第２光学系とを含むことを特徴とする撮影装置。
【請求項３】
請求項２に記載された撮影装置であって、
前記第２光学系は、前記第１光学系よりも広角であることを特徴とする撮影装置。
【請求項４】
請求項１から請求項３までの何れか１項に記載された撮影装置であって、
警告を発生する警告発生部を有し、
前記制御部は、前記判断部により前記第２撮影範囲に含まれ前記第１撮影範囲に含まれない前記被写体が、前記第１撮影範囲に入ると判断されたとき、前記警告発生部が警告を発生するように制御をすることを特徴とする撮影装置。
【請求項５】
請求項１から請求項４までの何れか１項に記載された撮影装置であって、
レリーズ動作を制御するレリーズ制御部を有し、
前記制御部は、前記判断部により前記第２撮影範囲に含まれ前記第１撮影範囲に含まれない前記被写体が、前記第１撮影範囲に入ると判断されたとき、前記レリーズ制御部がレリーズ動作をしないように制御することを特徴とする撮影装置。
【請求項６】
請求項１から請求項４までの何れか１項に記載された撮影装置であって、
レリーズ動作を制御するレリーズ制御部を有し、
前記制御部は、前記判断部により前記第２撮影範囲に含まれ前記第１撮影範囲に含まれない前記被写体が、前記第１撮影範囲に入ると判断されたとき、前記被写体が前記第１撮影範囲に入る前に前記レリーズ制御部がレリーズ動作をするように制御することを特徴とする撮影装置。
【請求項７】
請求項１から請求項６までの何れか１項に記載された撮影装置であって、
前記第２撮影範囲に含まれ前記第１撮影範囲に含まれない前記被写体、及び、前記第１撮影範囲に含まれる主要被写体を検出する被写体検出部を有し、
前記制御部は、前記第２撮影範囲に含まれ前記第１撮影範囲に含まれない前記被写体が前記主要被写体よりも像側にあるか否かに応じて撮影に関する制御を異ならせることを特徴とする撮影装置。
【請求項８】
請求項１から請求項７までの何れか１項に記載された撮影装置であって、
前記判断部は、前記第２撮影範囲に含まれ前記第１撮影範囲に含まれない前記被写体の速度に基づいて、前記被写体が前記第１撮影範囲に入るか否かを判断することを特徴とする撮影装置。
【発明の詳細な説明】
【技術分野】
【０００１】
本発明は撮影装置に関するものである。
【背景技術】
【０００２】
従来、一眼レフデジタルカメラやコンパクトデジタルカメラ、ビデオカメラ等の撮影装置が数多く提案されている（例えば、特許文献１を参照）。
【特許文献１】特開２００１−１６７２５３号公報
【０００３】
一眼レフデジタルカメラやコンパクトデジタルカメラ、ビデオカメラ等で人物や風景等を撮影する機会は非常に多い。また、人気のある観光地、有名なイベント、運動会等での撮影では、非常に大切で撮り直しがきかない写真を撮ることも多々ある。しかし、そのようなシチュエーションに限って、非常に多くの人が集まり、人通りも多く、望むようなアングルでの写真を撮るのに非常に苦労する。時間をかけやっとのことで撮影できた写真でも、その写真を確認すると、隅に全く関係ない他人が入っていたり、場合によっては急に横切った人が真正面に入ってしまい、大切な写真が台無しになってしまうことも多々ある。従来の撮影装置は、このような問題を解決することができるものではなかった。
【発明の開示】
【発明が解決しようとする課題】
【０００４】
本発明の課題は、好適な構図で撮影することができる撮影装置を提供することである。
【課題を解決するための手段】
【０００５】
本発明は、以下のような解決手段により、前記課題を解決する。なお、理解を容易にするために、本発明の実施形態に対応する符号を付して説明するが、これに限定されるものではない。即ち、請求項１の発明は、第１撮影範囲（４５）の画像を取得可能な第１画像取得部（１５）と、前記第１撮影範囲（４５）には含まれない被写体（Ｄ、Ｅ）を含む第２撮影範囲（４７）の画像を取得可能な第２画像取得部（１７）と、前記第２撮影範囲（４７）に含まれ前記第１撮影範囲（４５）に含まれない前記被写体（Ｄ、Ｅ）が、前記第１撮影範囲（４５）に入るか否かを判断する判断部（３５）と、前記判断部（３５）の判断に応じて撮影に関する制御を行う制御部（３７）とを有することを特徴とする撮影装置である。
【０００６】
請求項２の発明は、請求項１に記載された撮影装置であって、前記第１撮影範囲（４５）の画像を形成する第１光学系（３）と、前記第１光学系（３）とは独立して備えられ、前記第２撮影範囲（４７）の画像を形成する第２光学系（５）とを含むことを特徴とする撮影装置である。
【０００７】
請求項３の発明は、請求項２に記載された撮影装置であって、前記第２光学系（５）は、前記第１光学系（３）よりも広角であることを特徴とする撮影装置である。
【０００８】
請求項４の発明は、請求項１から請求項３までの何れか１項に記載された撮影装置であって、警告を発生する警告発生部（４１）を有し、前記制御部（３７）は、前記判断部（３５）により前記第２撮影範囲（４７）に含まれ前記第１撮影範囲（４５）に含まれない前記被写体（Ｄ、Ｅ）が、前記第１撮影範囲（４５）に入ると判断されたとき、前記警告発生部（４１）が警告を発生するように制御をすることを特徴とする撮影装置である。
【０００９】
請求項５の発明は、請求項１から請求項４までの何れか１項に記載された撮影装置であって、レリーズ動作を制御するレリーズ制御部（３９）を有し、前記制御部（３７）は、前記判断部（３５）により前記第２撮影範囲（４７）に含まれ前記第１撮影範囲（４５）に含まれない前記被写体（Ｄ、Ｅ）が、前記第１撮影範囲（４５）に入ると判断されたとき、前記レリーズ制御部（３９）がレリーズ動作をしないように制御することを特徴とする撮影装置である。
【００１０】
請求項６の発明は、請求項１から請求項４までの何れか１項に記載された撮影装置であって、レリーズ動作を制御するレリーズ制御部（３９）を有し、前記制御部（３７）は、前記判断部（３５）により前記第２撮影範囲（４７）に含まれ前記第１撮影範囲（４５）に含まれない前記被写体（Ｄ、Ｅ）が、前記第１撮影範囲（４５）に入ると判断されたとき、前記被写体（Ｄ、Ｅ）が前記第１撮影範囲（４５）に入る前に前記レリーズ制御部（３９）がレリーズ動作をするように制御することを特徴とする撮影装置である。
【００１１】
請求項７の発明は、請求項１から請求項６までの何れか１項に記載された撮影装置であって、前記第２撮影範囲（４７）に含まれ前記第１撮影範囲（４５）に含まれない前記被写体（Ｄ、Ｅ）、及び、前記第１撮影範囲（４５）に含まれる主要被写体（Ａ、Ｂ、Ｃ）を検出する被写体検出部（３３）を有し、前記制御部（３７）は、前記第２撮影範囲（４７）に含まれ前記第１撮影範囲（４５）に含まれない前記被写体（Ｄ、Ｅ）が前記主要被写体（Ａ、Ｂ、Ｃ）よりも像側にあるか否かに応じて撮影に関する制御を異ならせることを特徴とする撮影装置である。
【００１２】
請求項８の発明は、請求項１から請求項７までの何れか１項に記載された撮影装置であって、前記判断部（３５）は、前記第２撮影範囲（４７）に含まれ前記第１撮影範囲（４５）に含まれない前記被写体（Ｄ、Ｅ）の速度に基づいて、前記被写体（Ｄ、Ｅ）が前記第１撮影範囲（４５）に入るか否かを判断することを特徴とする撮影装置である。
【発明の効果】
【００１３】
本発明によれば、好適な構図で撮影することができる撮影装置を提供することができる。
【発明を実施するための最良の形態】
【００１４】
以下、本願の一実施形態に係る撮影装置について図面を参照して説明する。なお、本実施形態に係る撮影装置はコンパクトデジタルカメラであるが、本願の撮影装置はこれに限定されるものではなく、スチルカメラ、ビデオカメラ、携帯電話等を含むものである。
【００１５】
まず、本実施形態に係る撮影装置の基本的な構造を説明する。
【００１６】
図１は、本実施形態に係る撮影装置（コンパクトデジタルカメラ）の外観を示し、（ａ）は正面図を、（ｂ）は背面図をそれぞれ示す。
【００１７】
図１に示すように、コンパクトデジタルカメラ１は第１光学系３と第２光学系５とを独立に備えている。撮影者が不図示の電源釦を押すと、不図示のシャッタが開放され、第１光学系３、第２光学系５で不図示の被写体からの光が集光され、不図示の像面に配置された不図示の撮像素子（例えば、ＣＣＤやＣＭＯＳ等）に結像される。撮像素子に結像された被写体像は、コンパクトデジタルカメラ１の背面に配置された液晶モニター７に表示される。撮影者は、液晶モニター７を見ながら被写体像の構図を決めた後、レリーズ釦９を押し下げ被写体像を撮像素子で撮影し、不図示のメモリーに記録保存する。
【００１８】
また、コンパクトデジタルカメラ１には、被写体が暗い場合に補助光を発光する補助光発光部１１やコンパクトデジタルカメラ１の種々の条件設定等に使用するファンクション釦１３等が配置されている。
【００１９】
本実施形態に係る撮影装置は、撮影者が撮影しようとする範囲内に、外部から撮影意図のない被写体が進入しようとするとき、それを事前に予測して撮影に関する制御を行うための構成を有している。この構成について、次に説明する。
【００２０】
図２は、図１の撮影装置の特徴的な構成を示すブロック図である。
【００２１】
図２に示すように、コンパクトデジタルカメラ１は、第１撮影範囲４５（図４参照）の画像を取得可能な第１画像取得部１５と、第１撮影範囲４５には含まれない被写体を含む第２撮影範囲４７（図４参照）の画像を取得可能な第２画像取得部１７とを有する。第１撮影範囲４５の画像（第１画像）は第１光学系３によって形成され、第２撮影範囲４７の画像（第２画像）は、第１光学系３とは独立して備えられた第２光学系５によって形成される。第２光学系５は第１光学系３よりも広角であり、第２画像取得部１７の撮影範囲４７は第１画像取得部１５の撮影範囲４５よりも広くとることができる。
【００２２】
また、第１画像取得部１５は画像バッファ１９と画像処理部２１を含み、第２画像取得部１７も同様に画像バッファ２３と画像処理部２５を含む。画像処理部２１から第１画像のデータが処理部２７に送られ、画像処理部２５から第２画像のデータが処理部２７に送られる。
【００２３】
処理部２７は、第１画像と第２画像に関する諸設定を行う設定部２９、第１画像と第２画像とを認識する画像認識部３１、第１画像と第２画像内の被写体を検出する被写体検出部３３、第２画像に含まれ第１画像に含まれない被写体が、第１画像取得部１５の撮影範囲に入るか否かを判断する判断部３５、判断部３５の判断に応じて撮影に関する制御を行う制御部３７、制御部３７に制御され撮影装置１のレリーズ動作を制御するレリーズ制御部３９、制御部３７に制御される警告発生部４１等を有する。また、レリーズ制御部３９はレリーズスイッチ４３に接続されている。
【００２４】
次に、被写体の進入を予測して撮影に関する制御を行うための上記構成による動作の一例について図１から図４を参照して説明する。
【００２５】
図３は、図１の撮影装置の動作の一例であり、被写体進入に対する撮影制御の動作を示すフローチャートである。
【００２６】
図４は、図１の撮影装置における第１画像と第２画像の一例を示す図である。ここで、一点鎖線４５は第１画像取得部１５の撮影範囲を表し、この範囲内の第１画像は、撮影者が撮影しようとする主要被写体Ａ、Ｂ、Ｃを含んでいる。二点鎖線４７は第２画像取得部１７の撮影範囲を表し、この範囲内の第２画像は、第１画像に含まれず、撮影意図のない被写体（以下、非主要被写体と呼ぶ）Ｄ、Ｅを含んでいる。図４中に矢印で示すように、非主要被写体Ｄ、Ｅは画面中央に向かってある速度で移動している。
【００２７】
図３に示すように、ステップＳ１から、撮影制御に関する一連の動作が開始され、ステップＳ２で、コンパクトデジタルカメラ１の電源をＯＮにする。ステップＳ３で、第１・第２画像取得部１５、１７を起動する。
【００２８】
ステップＳ４で、設定部２９により第２画像取得部１７の撮影範囲４７を設定し、被写体の進入を監視する範囲を定める。例えば図４に示すように、第２画像取得部１７の撮影範囲４７を第１画像取得部１５の撮影範囲４５よりも広く設定し、上下左右から被写体が進入することを予測できるようにする。なお、第１・第２画像取得部１５、１７の撮影範囲４５、４７は、図４に例示されている構図に限られず、任意の位置に任意の大きさで設定することができるようになっており、例えば、撮影者から見て左側から非主要被写体が進入する可能性が高いとき、撮影範囲４７を撮影範囲４５の左側（非主要被写体Ｄを含む範囲）のみに設定することができる。ステップＳ４ではこのような設定を行う。
【００２９】
ステップＳ５で、画像認識部３１により第１・第２画像を認識する。ステップＳ６で、レリーズ釦９を半押しすることによりレリーズスイッチ４３を半押し操作ＯＮにする。ステップＳ７で、判断部３５により、被写体検出部３３によって検出された非主要被写体が第１画像取得部１５の撮影範囲４５に入るか否かを判断する。入ると判断したとき、ステップＳ８に進む。入らないと判断したときは、進入を監視する状態を維持し、レリーズ釦９の全押し操作によって第１画像を撮影する。
【００３０】
ステップＳ８では、制御部３７により、警告発生部４１が警告を発生する、レリーズ制御部３９がレリーズ動作をしない（レリーズ禁止）、レリーズ制御部３９が非主要被写体の進入前に早めにレリーズ動作をする、等の制御を行う。これらのうちどの方法で非主要被写体の進入に対応するかは、撮影者が予め設定しておくことができ、対応方法を組み合わせることも可能である。例えばレリーズ禁止と警告、早めのレリーズと警告などである。
【００３１】
警告の発生とは、具体的には音、振動、光などを発生して、撮影者に非主要被写体の進入を知らせることである。警告を受け、撮影者がレリーズ釦９の全押しを中止することで、非主要被写体が進入した写真を撮影してしまうことを防ぐことができる。また、レリーズ禁止では、進入時に撮影者が誤ってレリーズ全押し操作をしてもレリーズ動作がなされないため、警告と同様に非主要被写体が進入した写真を撮影してしまうことを防ぐことができる。また、早めのレリーズでは、進入前にレリーズ制御部３９が自動的にレリーズ動作をするため、非主要被写体が進入していない写真を撮影することができる。
【００３２】
次に、本実施形態に係る撮影装置において、異なる状況に応じて諸設定を変更したそれぞれの撮影制御の具体的実施例を示す。以下の各実施例において、次の状況は共通するものとして説明する。即ち、撮影者は、設定部２９により、第１・第２画像取得部１５、１７の撮影範囲４５、４７を図４に例示されている構図に設定している。また、図４に示す第１画像に含まれる主要被写体Ａ、Ｂ、Ｃはそれぞれ父、母、子を表し、撮影者は父Ａ、母Ｂ、子Ｃの主要被写体が中央に来るような構図で撮影しようとしている。父Ａ、母Ｂ、子Ｃの左右両側から、撮影意図のない他人Ｄと他人Ｅとが画面中央に向かってある速度で移動している。
【００３３】
（第１実施例）
第１実施例では、被写体検出部３３により、ＲＧＢの色情報とベクトル量の速度・加速度情報とを有する各被写体を検出している。説明を分かり易くするために状況を単純化し、父Ａが赤、母Ｂが青、子Ｃが黄、他人Ｄが紫、他人Ｅが緑の色情報を有しているとする。また父Ａ、母Ｂ、子Ｃは略静止しており、他人Ｄが他人Ｅよりも大きな速度で移動しており、他人Ｄが撮影範囲４５に入ろうとしている状況を想定する。
【００３４】
このような状況下で、判断部３５は、第２画像に含まれ第１画像には含まれない、赤、青、黄色以外の色情報（紫）をもった他人Ｄが、撮影範囲４５の中央に向かって所定値以上の速度・加速度を有しているという情報により、他人Ｄが撮影範囲４５に入ると判断する。そして制御部３７が撮影制御を行う。撮影制御の方法は、上述のように警告、レリーズ禁止、早めのレリーズ、またはそれらの組み合わせであり、上述の効果が得られる。
【００３５】
（第２実施例）
第２実施例では、他人Ｄと他人Ｅとがそれぞれある速度で移動しており、他人Ｄだけでなく他人Ｅも撮影範囲４５に入ろうとしている状況を想定する。それ以外は第１実施例と同じ設定・状況とする。
【００３６】
このような状況下で、判断部３５は、第２画像に含まれ第１画像には含まれない、赤、青、黄色以外の色情報（紫及び緑）をもった他人Ｄ及び他人Ｅが、撮影範囲４５の中央に向かって所定値以上の速度・加速度を有しているという情報により、他人Ｄ及び他人Ｅが撮影範囲４５に入ると判断する。そして制御部３７が撮影制御を行う。撮影制御の方法は、上述のように警告、レリーズ禁止、早めのレリーズ、またはそれらの組み合わせであり、上述の効果が得られる。
【００３７】
なお、上記第１及び第２実施例では、主要被写体と異なる色情報をもった非主要被写体の進入に対応するように設定しているが、主要被写体と同色の色情報をもった非主要被写体の進入にも対応するように設定してもよい。また３人以上の非主要被写体が進入しようとした場合でも、同様の撮影制御が可能である。
【００３８】
（第３実施例）
第３実施例は、撮影者が、撮影範囲４５に進入されると困る被写体として他人Ｄを事前に認識している場合である。撮影者は、設定部２９により、進入に注意する非主要被写体は、他人Ｄの色情報である紫色の被写体であると事前に設定する。それ以外は第１実施例と同じ設定・状況とする。
【００３９】
このような状況下で、判断部３５は、第２画像に含まれ第１画像には含まれない、事前に設定しておいた紫の色情報をもった被写体である他人Ｄが、撮影範囲４５の中央に向かって所定値以上の速度・加速度を有しているという情報により、他人Ｄが撮影範囲４５に入ると判断する。そして制御部３７が撮影制御を行う。撮影制御の方法は、上述のように警告、レリーズ禁止、早めのレリーズ、またはそれらの組み合わせであり、上述の効果が得られる。
【００４０】
特に第３実施例によれば、特定の被写体の進入に備えることができる。また、進入に注意する非主要被写体を特定する条件を事前設定しておくことで、その被写体が突然撮影範囲４７に入って来ても、正確に撮影制御を行うことができる。
【００４１】
なお、撮影範囲４５に進入されると困る被写体が複数おり、それらを撮影者が事前に認識している場合でも、第３実施例と同様の撮影制御が可能である。例えば、イベント等で青色の服を着ている人たちが多数おり、その人たちが撮影範囲４５に入る可能性があるとする。撮影者は、設定部２９により、進入に注意する非主要被写体は青の色情報を有する被写体であると事前に設定する。このような状況下で、判断部３５は、第２画像に含まれ第１画像には含まれない、事前に設定しておいた青の色情報をもった単数または複数の被写体が、撮影範囲４５の中央に向かって所定値以上の速度・加速度を有しているという情報により、撮影範囲４５に入ると判断する。そして制御部３７が撮影制御を行う。
【００４２】
（第４実施例）
第４実施例では、被写体検出部３３により、ＲＧＢの色情報とベクトル量の速度・加速度情報、さらに像面からの距離情報とを有する各被写体を検出している。父Ａが赤、母Ｂが青、子Ｃが黄、他人Ｄが紫、他人Ｅが緑の色情報を有しているとする。また父Ａ、母Ｂ、子Ｃは略静止しており、他人Ｄと他人Ｅとがそれぞれある速度で移動している。他人Ｄは、父Ａ、母Ｂ、子Ｃの主要被写体よりも像側にあり、他人Ｅは、主要被写体よりも像側にない（即ち、撮影者にとって主要被写体よりも遠方にある）とする。
【００４３】
また、撮影者は、設定部２９により、非主要被写体が主要被写体よりも像側にあるか否かに応じて制御部３７が撮影に関する制御を異ならせるように設定している。例えば、非主要被写体が主要被写体よりも像側にあるときは警告とレリーズ禁止を行い、非主要被写体が主要被写体よりも像側にない（撮影者にとって遠方にある）ときは警告のみを行うように設定しているとする。他人Ｄが撮影範囲４５に入ろうとしている状況と、他人Ｅが撮影範囲４５に入ろうとしている状況の２つを想定する。
【００４４】
他人Ｄが撮影範囲４５に入ろうとするとき、判断部３５は、第２画像に含まれ第１画像には含まれない、赤、青、黄色以外の色情報（紫）を有し主要被写体よりも像側にある他人Ｄが、撮影範囲４５の中央に向かって所定値以上の速度・加速度を有しているという情報により、他人Ｄが撮影範囲４５に入ると判断する。そして制御部３７が警告とレリーズ禁止を行う。
【００４５】
他人Ｅが撮影範囲４５に入ろうとするとき、判断部３５は、第２画像に含まれ第１画像には含まれない、赤、青、黄色以外の色情報（緑）を有し主要被写体よりも像側にない（撮影者にとって遠方にある）他人Ｅが、撮影範囲４５の中央に向かって所定値以上の速度・加速度を有しているという情報により、他人Ｅが撮影範囲４５に入ると判断する。そして制御部３７が警告のみを行う。
【００４６】
撮影制御の効果については前述した通りである。特に第４実施例によれば、非主要被写体が主要被写体よりも像側にあるか否かに応じて異なる撮影制御を行うことが可能となる。例えば、主要被写体を遮る可能性のある被写体に対しては、レリーズ禁止や早めのレリーズで対応し、主要被写体の後方を通り過ぎるだけの被写体に対しては警告のみ、或いは進入を無視するといった対応をとることが可能となる。また、主要被写体の後方を通り過ぎる被写体に対しては、像面からの距離が所定値以上大きい場合、警告のみから進入無視に切り替えるようにしてもよい。
【００４７】
なお、以上の第１〜第４実施例以外にも様々な撮影制御が可能である。
【００４８】
以上のように、本実施形態に係る撮影装置によれば、被写体の進入によって写真の構図が崩れてしまうことを防ぐことができ、撮影者は所望の構図で撮影することができる。
【００４９】
なお、本実施形態に係る撮影装置は、一台のカメラに２つの光学系を備え、非主要被写体の進入を事前に予測するものであるが、２つの光学系が必須とは限らない。
【００５０】
また、第２光学系５は非主要被写体を検出できる程度の性能があればよいので、第１光学系３より小さくてもよい。このため、２つの光学系を用いる場合でもコストを抑えることができる。
【００５１】
また、設定部２９では、撮影範囲４５、４７を設定するだけでなく、各被写体からどのような情報をとるか、それらの情報に基づいてどのような被写体がどのような状態にあるとき撮影範囲４５に進入すると判断するのか、進入にどのように対応するか等を設定することができる。
【００５２】
また、撮影範囲４５、４７は、前述のようにそれぞれ任意の位置に任意の大きさで設定することができるようになっている。さらに、第１画像取得部１５の撮影範囲４５内で、非主要被写体の進入を監視する範囲を別に設定することもできる。例えば、主要被写体を俯瞰するような位置から撮影するとき、撮影範囲４５で主要被写体の顔などを捉えることが多いような場合には、撮影範囲４５の上方部分（主要被写体の顔などを捉えている範囲）のみ、進入を監視するように設定してもよい。
【００５３】
また、進入する可能性のある被写体を検出するために、ＲＧＢの色情報、ベクトル量の速度・加速度情報、像面からの距離情報の他、形状（輪郭、持ち物、髪型など）情報、動きベクトル情報などを利用することができる。どのような情報を用いても、同じように高い精度で被写体の進入を予測することができる。
【００５４】
また、主要・非主要被写体は人に限られない。
【００５５】
また、ピントがぼけているものを非主要被写体として、進入を監視してもよい。
【００５６】
また、判断部３５による判断について、非主要被写体から色情報をとらず、撮影範囲４５の中央に向かって所定値以上の速度・加速度を有しているものは全て進入すると判断するように設定することもできる。
【００５７】
また、判断部３５による判断（被写体が第１画像取得部１５の撮影範囲４５に入るか否か）について、被写体の速度に基づく判断に限定されない。例えば、被写体が動く物体（人、犬、車など）であるか、動かない物体（建築物、樹木など）であるかを判断し、被写体が動く物体であるとき被写体が第１画像取得部１５の撮影範囲４５に入ると推測してもよい。
【００５８】
また、設定部２９により、レリーズ禁止時のレリーズ動作を禁止しておく時間なども設定することができる。
【００５９】
なお、本発明を分かり易く説明するために実施形態の構成要件を付して説明したが、本発明はこれに限定されるものではない。
【図面の簡単な説明】
【００６０】
【図１】本実施形態に係る撮影装置（コンパクトデジタルカメラ）の外観を示し、（ａ）は正面図を、（ｂ）は背面図をそれぞれ示す。
【図２】図１の撮影装置の特徴的な構成を示すブロック図である。
【図３】図１の撮影装置の動作の一例であり、被写体進入に対する撮影制御の動作を示すフローチャートである。
【図４】図１の撮影装置における第１画像と第２画像の一例を示す図である。
【符号の説明】
【００６１】
１          コンパクトデジタルカメラ
３          第１光学系
５          第２光学系
１５        第１画像取得部
１７        第２画像取得部
３３        被写体検出部
３５        判断部
３７        制御部
３９        レリーズ制御部
４１        警告発生部
４５        第１画像取得部１５の撮影範囲
Ａ、Ｂ、Ｃ  主要被写体
Ｄ、Ｅ      非主要被写体
【図１】
2009282143.tif 000003
【図２】
2009282143.tif 000004
【図３】
2009282143.tif 000005
【図４】
2009282143.tif 000006